(57)【特許請求の範囲】
【請求項１】
筆記具本体の軸筒の一端側に、下方へ向けられた際に自重により前進して突出状態になり上方へ向けられた際には自重により後退して没入状態になる消しゴムを具備した消しゴム付き筆記具において、
前記軸筒内の前記一端側に嵌り合った筒状の支持ケースと、
前記支持ケースの内周面との間に前後方向へ延びる空間を置いて前記支持ケース内に進退不能且つ回転不能に係止された中空軸状のスライド支持部を有するホルダーと、
前記スライド支持部の側壁を厚み方向へ貫通する貫通孔に嵌り合って自転する転動体と、
前記空間における前記転動体の後側で前後方向へ進退する係脱部材と、
前端側に前記消しゴムを嵌合固定する保持部を有するとともに後端側に前記スライド支持部内で進退するスライド軸を有する進退部材とを備え、
前記軸筒の内周面に前後方向へ延びる縦溝が設けられ、
前記支持ケースの外周面には、前記縦溝に嵌り合う凸部が設けられ、
前記スライド支持部の軸心側には、前記スライド軸に嵌り合う四角筒状のスライド孔が設けられ、
前記スライド軸は、前記スライド孔に嵌り合う四角柱状に形成され、その側面に前記転動体を嵌脱可能な凹部を有し、
前記係脱部材は、前進した際に前記転動体における中心部よりも軸筒径外方向寄りに接触し、後退した際には同転動体から後方へ離れることを特徴とする消しゴム付き筆記具。
【請求項２】
前記係脱部材は、中心側に前記スライド支持部を挿通する筒状に形成されるとともに、その前端側の内周面に、前記転動体の軸筒径外方向寄り部分に対し後方側から当接する傾斜面を有し、
前記傾斜面は、中心軸に対する傾斜角度が大きい急傾斜面と、該急傾斜面よりも前側に位置し且つ該急傾斜面よりも傾斜角度が小さい緩傾斜面とから構成されることを特徴とする請求項１記載の消しゴム付き筆記具。
【請求項３】
前記係脱部材は、前記傾斜面よりも後側の周壁の外面を、その前側部分よりも縮径していることを特徴とする請求項２記載の消しゴム付き出没具付き筆記具。
【請求項４】
前記係脱部材よりも後側において、前記スライド支持部の側壁には、軸筒径外方向へ突出する突起が設けられ、
前記支持ケースの後端側には縮径部分を有し、この縮径部分の周壁には、前記突起に嵌り合う係止孔が設けられていることを特徴とする請求項１乃至３何れか１項記載の消しゴム付き筆記具。
【請求項５】
前記スライド軸の側面における前記凹部よりも後側には、規制凸部が設けられ、前記スライド孔の内面には、前記規制凸部を前後方向へ案内するガイド溝が設けられていることを特徴とする請求項１乃至４何れか１項記載の消しゴム付き筆記具。
【請求項６】
前記ガイド溝の前端側には、前記規制凸部の前方への移動を規制する内向き凸部が設けられていることを特徴とする請求項５記載の消しゴム付き筆記具。
【請求項７】
前記筆記具本体が芯タンクを有するシャープペンシルであり、前記支持ケースを、前記芯タンクの先端側に対する逆端側に装着していることを特徴とする請求項１乃至６何れか１項記載の消しゴム付き筆記具。
【請求項８】
前記消しゴム、前記支持ケース、前記ホルダー、前記係脱部材、前記転動体、および前記進退部材を具備して、前記筆記具本体から分離された状態で前記消しゴムを自重により出没させる一体的な出没ユニットを構成し、
この出没ユニットが、前記筆記具本体に対し着脱可能に装着されていることを特徴とする請求項１乃至７何れか１項記載の消しゴム付き筆記具。
【発明の詳細な説明】
【技術分野】
【０００１】
本発明は、筆記具本体の一端側に、消しゴムや筆記部、その他の出没具を具備した消しゴム付き筆記具に関するものである。
【背景技術】
【０００２】
従来、この種の発明には、例えば特許文献１に記載のもののように、筆記具本体の軸筒内に、ボールペン用リフィールを備え、このボールペン用リフィールを下方へ向けられた際に自重により前進させて突出状態にするとともに係止し、上方へ向けられた際には前記係止を外して自重により後退させて没入状態するようにしたものがある。
この従来技術では、ボールペン用リフィールが前進して突出状態になった際に、該ボールペン用リフィールの後端に当接するボール（４３）を軸筒内面（中空体２９の内面）の段部に係止し、前記段部に対する径方向の逆側で前記ボールと軸筒内周面との間に、円錐形頭部（４６）を有する楔状の部材を挟み込むようにしている。なお、前記括弧内の数字は特許文献１中の符号である。
【０００３】
しかしながら、上記従来技術によれば、前記係止状態から復帰する際に前記楔状の部材が、ボール（４３）と軸筒内面との間に噛み込んで外れ難くなったり、ボール（４３）及び前記楔状の部材が軸筒内で踊るように動いて不要な音を発したり等、動作性面での改善が求められる。
【先行技術文献】
【特許文献】
【０００４】
【特許文献１】特公昭３４−１０３７０号公報
【発明の概要】
【発明が解決しようとする課題】
【０００５】
本発明は上記従来事情に鑑みてなされたものであり、その課題とする処は、出没具を出没させる際の動作性を向上することができる消しゴム付き筆記具を提供することにある。
【課題を解決するための手段】
【０００６】
上記課題を解決するための一手段は、筆記具本体の軸筒の一端側に、下方へ向けられた際に自重により前進して突出状態になり上方へ向けられた際には自重により後退して没入状態になる消しゴムを具備した消しゴム付き筆記具において、前記軸筒内の前記一端側に嵌り合った筒状の支持ケースと、前記支持ケースの内周面との間に前後方向へ延びる空間を置いて前記支持ケース内に進退不能且つ回転不能に係止された中空軸状のスライド支持部を有するホルダーと、前記スライド支持部の側壁を厚み方向へ貫通する貫通孔に嵌り合って自転する転動体と、前記空間における前記転動体の後側で前後方向へ進退する係脱部材と、前端側に前記消しゴムを嵌合固定する保持部を有するとともに後端側に前記スライド支持部内で進退するスライド軸を有する進退部材とを備え、前記軸筒の内周面に前後方向へ延びる縦溝が設けられ、前記支持ケースの外周面には、前記縦溝に嵌り合う凸部が設けられ、前記スライド支持部の軸心側には、前記スライド軸に嵌り合う四角筒状のスライド孔が設けられ、前記スライド軸は、前記スライド孔に嵌り合う四角柱状に形成され、その側面に前記転動体を嵌脱可能な凹部を有し、前記係脱部材は、前進した際に前記転動体における中心部よりも軸筒径外方向寄りに接触し、後退した際には同転動体から後方へ離れることを特徴とする。
【発明の効果】
【０００７】
本発明は、以上説明したように構成されているので、出没具を出没させる際の動作性を向上することができる。
【図面の簡単な説明】
【０００８】
【図１】本発明に係る出没具付き筆記具の一例を側方から視て示す要部切欠断面図である。
【図２】図１の(II)-(II)線に沿う拡大断面図である。
【図３】係脱部材の一例を示す半断面図である。
【図４】同出没具付き筆記具の動作を示す要部断面図であり、（ａ）は出没具側が下方へ向けられた直後の没入状態を示し、（ｂ）は進退部材の前進により出没具が下方へ突出した状態を示す。
【図５】同出没具付き筆記具の動作を示す要部断面図であり、（ｃ）は転動体が凹部内へ移動している途中の状態を示し、（ｄ）は転動体が凹部内に嵌り合った状態を示す。
【図６】出没ユニットを筆記具本体から外した状態を示す要部断面図である。
【発明を実施するための形態】
【０００９】
本実施の形態の特徴の一つは、筆記具本体の軸筒の一端側に、下方へ向けられた際に自重により前進して突出状態になり上方へ向けられた際には自重により後退して没入状態になる出没具を具備した出没具付き筆記具において、前端側に前記出没具を有するとともに筆記具本体に対し進退するように支持された進退部材と、筆記具本体に対し進退しないで自転するように支持された転動体とを備え、前記転動体の外周面を前記進退部材の側面に接触させるようにした。
この構成によれば、出没具と共に進退部材が進退する際、該進退部材の側面が転動体の外周面に接触して該転動体が転がるようにして自転する。したがって、進退部材の摩擦抵抗を軽減し、進退部材の進退をスムーズに行うことができる。
【００１０】
なお、前記「出没具」は、筆記具本体の軸筒の一端側で出没するものであればよく、この「出没具」には前記筆記機能を有するもの（例えば筆記先端部等）や、筆記以外の機能を有するもの（例えば消しゴム等）を含む。
また、上記構成の出没具付き筆記具は、出没具を突出状態で後退不能に係止する手段を具備することが好ましいが、この手段は必須ではない。例えば、前記出没具をライトや発光体とした場合等には、この出没具を突出状態で後退不能に係止せずとも、この出没具としての機能を奏することが可能である。また、突出状態の前記出没具を手で押さえて用いる態様とすることも可能である。
【００１１】
他の特徴としては、前記進退部材における後端寄りの側面に設けられて前記転動体を嵌脱可能な凹部と、前記転動体の後側で筆記具本体に対し進退するように支持された係脱部材とを備え、前記係脱部材が、前進した際に前記転動体における中心部よりも軸筒径外方向寄りに接触し、後退した際には同転動体から後方へ離れるようにした。
この構成によれば、出没具が下方へ向けられた際、進退部材が自重により前進するとともに、係脱部材も前進して転動体に対し中心部よりも軸筒径外方向寄りに接触する。このため、転動体が軸筒径内方向へ移動して凹部に嵌り合う。また、出没具が上方へ向けられた際には、係脱部材が後退するため、転動体が凹部から離脱し、進退部材及び出没具が自重により後退する。
【００１２】
他の特徴としては、より動作性を向上するために、筆記具本体に、前記進退部材を進退するように支持するホルダーを備え、該ホルダーは、前記進退部材を進退させて前記出没具を前後に出没させるように前記進退部材の周囲を覆って支持する側壁と、該側壁を厚み方向へ貫通する貫通孔とを有し、該貫通孔内に、前記転動体を筆記具本体に対し進退しないで自転するように支持している。
【００１３】
他の特徴としては、より動作性を向上するために、前記進退部材を軸筒径内方向側に挟むようにして、前記転動体を複数設けた。
【００１４】
他の特徴としては、より動作性を向上するために、前記係脱部材は、中心側に前記ホルダーを挿通する筒状に形成されるとともに、その前端側の内周面に、前記転動体の軸筒径外方向寄り部分に対し後方側から当接する傾斜面を有する。
なお、前記「軸筒径外方向」とは、軸筒の径方向に沿って該軸筒の中心から離れる方向を意味する。
【００１５】
他の特徴としては、係脱部材を軽量化して噛み込み等による動作不良を軽減するために、前記係脱部材は、前記傾斜面よりも後側の周壁の外面を、その前側部分よりも縮径している。
なお、前記「軸筒径内方向」とは、軸筒の径方向に沿って該軸筒の中心に近づく方向を意味する。
【００１６】
他の特徴としては、前記出没具、前記進退部材および前記転動体を具備して、前記出没具を自重により出没させる一体的な出没ユニットを構成し、この出没ユニットを、筆記具本体に対し着脱可能に装着した。
【００１７】
他の特徴としては、前記筆記具本体が芯タンクを有するシャープペンシルであり、前記出没ユニットを、前記芯タンクの先端側に対する逆端側に、着脱可能に装着した。
【実施例】
【００１８】
次に、上記特徴を有する好ましい実施例を、図面に基づいて詳細に説明する。
【００１９】
図１は本発明に係る出没具付き筆記具の一例を示している。
この出没具付き筆記具Ａは、筆記具本体１０の先端側に対する逆端側に、出没具２１を自重により出没させる出没ユニット２０を着脱可能に装着して、シャープペンシルを構成している
なお、本明細書中、筆記具本体１０に関する説明では、鉛芯１が繰り出される方向（図１における下方）を「先」（先端、先方等）と表現し、その逆方向を「逆」（逆端、逆方向等）と表現する。
また、出没ユニット２０に関する説明では、出没具２１を突出させる方向（図４における下方）を「前」（前端、前方等）と表現し、その逆方向を「後」（後端、後方等）と表現する。
【００２０】
筆記具本体１０は、長尺状の軸筒１１内に、複数の鉛芯１を収納する芯タンク１２と、該芯タンク１２内の鉛芯を先方へ繰り出す鉛芯繰出し機構（図示せず）と、該鉛芯繰出し機構により繰り出される鉛芯を挿通し保護するスライダー１３とを具備している。
【００２１】
軸筒１１は、内部が中空の長尺円筒状に形成され、その先端側開口部に、スライダー１３を挿入するとともに、前記先端側開口部に対する逆端側開口部１２ａには、後述する出没ユニット２０を挿入している。この軸筒１１は、単数の筒状部材からなる態様や、複数の筒状部材を軸方向に接続してなる態様とすることが可能である。
【００２２】
芯タンク１２は、先端部とその逆方向の端部を開口した長尺円筒状の部材であり、図示例によれば、その逆端側開口部１２ａに、接続部材１４を介して出没ユニット２０を着脱可能に接続している。
【００２３】
接続部材１４は、先端側を小径筒状に形成するとともに逆端側を大径筒状に形成した部材であり、前記小径筒状の部分を、芯タンク１２の逆端側開口部１２ａに着脱不能に圧入している。また、前記大径筒状の部分の内周面には、出没ユニット２０を着脱可能に乗り越え嵌合させるように環状の凹凸部が設けられる。
【００２４】
前記鉛芯繰出し機構は、芯タンク１２の逆端側に接続された出没ユニット２０に対するノック操作により、芯タンク１２の先端側に接続されたチャック（図示せず）に挟持された鉛芯１を先方へ繰り出すようにした周知の機構である。
この鉛芯繰出し機構は、外部から受ける操作により鉛芯１を繰出すようにした機構であればよく、例えば、軸筒側面に設けられるボタンを押す操作により鉛芯１を繰出すようにした機構や、当該軸筒全体を振る操作により鉛芯１を繰出すようにした機構、芯タンクの逆端側を回転させる操作により鉛芯１を繰り出すようにした機構等に置換することも可能である。
【００２５】
スライダー１３は、略円筒状の部材であり、前記鉛芯繰出し機構から繰出される鉛芯１を挿通している。このスライダー１３は、鉛芯１から径方向の力を受けた際に、外周部に形成されたカム斜面を、軸筒１１の先端縁に摺接させて前進し、鉛芯１を覆う鉛芯保護機能を有する。なお、他例としては、このスライダー１３を、前記カム斜面を有さないスライダーや、軸筒１１の先端に進退不能に固定された芯挿通部材等、前記鉛芯保護機能を有さない態様に置換することも可能である。
【００２６】
次に、出没ユニット２０について詳細に説明する。
【００２７】
出没ユニット２０は、図４（ａ）に示すように、前端側に出没具２１を接続するとともに筆記具本体１０に対し進退するように支持された進退部材２２と、筆記具本体１０に対し進退しないで自転するように支持された転動体２３と、筆記具本体１０に支持されるとともに進退部材２２を進退するように支持するホルダー２４と、転動体２３よりも後側で筆記具本体１０に対し進退するように支持された係脱部材２６と、該ホルダー２４の前端側に設けられた装飾リング２５と、係脱部材２６を進退可能に覆うようにしてホルダー２４を支持する支持ケース２７とを具備している。
【００２８】
出没具２１は、ホルダー２４及び装飾リング２５内から出没する円柱状の消しゴムである。
この出没具２１は、進退部材２２の前端側に着脱可能に嵌合固定されており、出没ユニット２０の前端側が上方へ向けられた状態（図１参照）ではホルダー２４及び装飾リング２５内に収納される。
【００２９】
進退部材２２は、出没具２１を着脱可能に保持する保持部２２ａと、該保持部２２ａの後端から後方へ延設されたスライド軸２２ｂとを有する（図４（ａ）参照）。
【００３０】
保持部２２ａは、出没具２１の後部側を挿入可能な円筒状に形成され、その内周壁面を、出没具２１の外周面に圧接している。
【００３１】
スライド軸２２ｂは、長尺四角柱状（図２参照）に形成される。このスライド軸２２ｂの後端寄りには、二つの凹部２２ｂ１が設けられる。これら凹部２２ｂ１は、スライド軸２２ｂの両側面に配設される。そして、各凹部２２ｂ１は、転動体２３を嵌脱可能な断面略円弧状に形成される。
また、スライド軸２２ｂの両側面において、凹部２２ｂ１よりも後側には、進退部材２２の前方へのスライドを規制する規制凸部２２ｂ２，２２ｂ２が設けられる。
【００３２】
また、転動体２３は、金属や硬質樹脂材料等からなる球状の部材である。この転動体２３は、進退部材２２のスライド軸２２ｂを軸筒径内方向側に挟むようにして複数（図示例によれば二つ）配設される。各転動体２３は、後述するホルダー２４の貫通孔２４ｂ２内で自在に自転するように設けられる。
【００３３】
ホルダー２４は、出没具２１及び進退部材２２の保持部２２ａの周囲を覆う筒状の被覆壁部２４ａと、該被覆壁部２４ａの後端から後方へ延設されて進退部材２２をスライド可能に支持するスライド支持部２４ｂとを具備している（図４（ｂ）参照）。
【００３４】
被覆壁部２４ａは、進退部材２２の保持部２２ａの周囲に隙間を介して、該保持部２２ａを覆う円筒状に形成され、その前端側に、円筒状の装飾リング２５を嵌合固定している。なお、他例としては、装飾リング２５を省くことも可能である。
【００３５】
スライド支持部２４ｂは、中空軸状の部材であり、その軸心側に、スライド軸２２ｂの周囲を覆ってスライド可能に支持する四角筒状のスライド孔２４ｂ１を有する（図２参照）。このスライド孔２４ｂ１の内面には、進退部材２２後端側の規制凸部２２ｂ２を前後方向へ案内するガイド溝２４ｂ１１や、スライド軸２２ｂの前方への移動を規制する内向き凸部２４ｂ１２等が設けられる。
【００３６】
スライド支持部２４ｂの前端寄りの側壁には、該側壁を厚み方向へ貫通する貫通孔２４ｂ２（図４（ａ）参照）が設けられる。この貫通孔２４ｂ２は、転動体２３の外径よりも若干大きい内径の孔であり、転動体２３を、自在に自転し、且つ軸筒軸方向へ進退しないように抱持する。
また、スライド支持部２４ｂの後端寄りの側壁には、軸筒径外方向へ突出して支持ケース２７の係止孔２７ｂ１に嵌り合う突起２４ｂ３が設けられる。
【００３７】
係脱部材２６は、ホルダー２４のスライド支持部２４ｂを挿通する筒状に形成される。詳細に説明すれば、この係脱部材２６は、図３に示すように、前側に位置する大径部２６ａと、該大径部２６ａよりも後側に位置する小径部２６ｂとを有する。
【００３８】
大径部２６ａは、その外径面を、後述する支持ケース２７の内周面に近接するように形成している。
この大径部２６ａの内周面には、前方へ向かって徐々に拡径する環状の傾斜面が形成される。この傾斜面は、図３に示す一例によれば、中心軸に対する傾斜角度が比較的大きい急傾斜面２６ａ１と、該急傾斜面２６ａ１よりも前側に位置し急傾斜面２６ａ１よりも傾斜角度が小さい緩傾斜面２６ａ２とから構成される。    
【００３９】
また、小径部２６ｂは、大径部２６ａよりも後側の外周面を、大径部２６ａの外径よりも縮径することで軽量化されている。この小径部２６ｂは、ホルダー２４の後側の外周面に摺接するように形成される。
小径部２６ｂと大径部２６ａとの間の外周面は、後方へ向かって縮径する環状傾斜面２６ｃを介して接続されている。
【００４０】
上述した係脱部材２６の構成によれば、出没具２１が下方へ向けられた際（図４（ａ）参照）に、進退部材２２の動作性を良好にすることができる。すなわち、仮に係脱部材２６が比較的高重量である場合には、係脱部材２６の前端側内周面と進退部材２２のスライド軸２２ｂとの間に転動体２３が強く挟まれて、進退部材２２の前進に抵抗を生じるおそれがあるが、本実施例ではこのような不具合を解消することができる。
【００４１】
また、支持ケース２７は、後端側を閉鎖した有底筒状の部材であり、係脱部材２６を進退自在な状態で覆う筒状部２７ａと、該筒状部２７ａよりも後側に位置するとともに芯タンク１２後端に圧入されている接続部材１４に対し着脱可能な着脱部２７ｂとを有する（図４参照）。
【００４２】
筒状部２７ａは、係脱部材２６の最大径よりも若干大きい内径を有する。この筒状部２７ａは、スライド支持部２４ｂ外周面との間に、係脱部材２６を前後方向へ所定量スライドさせる円筒状の空間を確保している。
また、着脱部２７ｂは、後端を閉鎖した有底筒状に形成され、その内周面に、ホルダー２４の後端部を進退不能且つ回転不能に嵌合するとともに、その外周面を、接続部材１４に対し着脱可能に嵌合している。
着脱部２７ｂを接続部材１４に対し着脱可能に接続する手段は、図示例によれば、凹凸部を用いた乗り越え嵌合としているが、他例としては、ネジを用いた接続や、その他の着脱可能な構造とすることが可能である。
【００４３】
次に、上記構成の出没具付き筆記具Ａについて、その特徴的な作用効果を詳細に説明する。
図１に示すように、出没具２１が上方へ向けられた初期状態では、出没具２１が、ホルダー２４及び装飾リング２５内に没入しており、側方からは目視されない。
前記初期状態から出没具付き筆記具Ａの出没具２１側を下方へ向けると、図４（ａ）（ｂ）〜図５（ｃ）（ｄ）に示すように、進退部材２２が下方へスライドする。このスライドの際、進退部材２２のスライド軸２２ｂに沿って転動体２３が転動するため、進退部材２２が、直線的にスムーズに前進し、その前進の際の抵抗が少ない。
そして、進退部材２２が進退領域の前端までスライドすると、図４（ｂ）に示すように、該進退部材２２後端側の凹部２２ｂ１が、貫通孔２４ｂ２の略中心線上に位置する。
一方、進退部材２２の前記スライドに追従するようにして、係脱部材２６も下方へスライドする（図５（ｃ）参照）。このため、転動体２３が、係脱部材２６前端側内面に押されて軸筒径内方向へ移動し、ホルダー２４と進退部材２２との間に跨るようにして凹部２２ｂ１に嵌り合う。
したがって、出没具２１が装飾リング２５から下方へ突出した状態において、進退部材２２が後退不能に係止される。
【００４４】
また、前記突出状態から出没具付き筆記具Ａの出没具２１側を上方へ向けると、上記説明とは逆の順序で、出没具２１が没入することになる。
すなわち、先ず、係脱部材２６が後方へ移動する。次に、転動体２３が凹部２２ｂ１内の凹曲状の斜面に押されて、凹部２２ｂ１外へ移動する。このため、進退部材２２の係止状態が解除され、進退部材２２が後退し、この後退により出没具２１がホルダー２４及び装飾リング２５内へ没入する。
【００４５】
よって、上記構成の出没具付き筆記具Ａによれば、出没具２１を出没させる際に、進退部材２２の直進性が高く且つ抵抗が少なく、係脱部材２６の食付き等を生じ難く、また各構成部材が動いて異音を生じるようなこともなく、動作性に優れている。
また、出没具２１を突出させ係止した状態において、該出没具２１に後方への荷重が作用した場合に、この荷重を複数の転動体２３により分散することができ、ひいては、突出状態の係止強度を向上するとともに、当該出没具付き筆記具Ａの耐久性や信頼性等を向上することができる。
【００４６】
また、上記構成の出没ユニット２０は、図６に示すように、芯タンク１２の逆端側の接続部材１４に挿入して嵌め合せたり、該接続部材１４から抜くようにして外したり等、筆記具本体１０に対する着脱を容易に行うことができる。
ひいては、消耗や故障等による出没具２１の交換作業が容易なのは勿論のこと、出没具２１及び出没ユニット２０等を、色や、デザイン、機能等が異なるものに交換するのも容易であり、当該出没具付き筆記具Ａのバリエーションを多様化することができる。
【００４７】
なお、上記実施例によれば、特に好ましい態様として、転動体２３を球体としたが、転動体２３の他例としては、円柱コロ状の部材や、その他の形状の転動体とすることも可能である。
【００４８】
また、上記実施例によれば、特に好ましい態様として、二つの転動体２３を設けたが、他例としては、単数又は三以上の転動体２３を設けた態様とすることも可能である。
【００４９】
また、上記実施例によれば、出没具２１を消しゴムとしたが、出没具２１の他例としては、筆記具（ボールペン、サインペン、シャープペンシル、修正ペン、毛筆用ペン、クレヨン等を含む）の筆記先端部や、入力ペン、判子、静電気除去部材、ライト、発光体、ＵＳＢメモリ等とすることも可能である。
【００５０】
また、上記実施例によれば、筆記具本体１０をシャープペンシルとしたが、筆記具本体１０の他例としては、ボールペンや、万年筆、サインペン、マーカーペン、筆ペン、多機能筆記具、入力ペン等とすることも可能である。
【符号の説明】
【００５１】
１０：筆記具本体
１１：軸筒
１２：芯タンク
１４：接続部材
２０：出没ユニット
２１：出没具
２２：進退部材
２２ｂ１：凹部
２３：転動体
２４：ホルダー
２４ｂ２：貫通孔
２５：装飾リング
２６：係脱部材
２６ａ１：急傾斜面
２６ａ２：緩傾斜面
２７：支持ケース
Ａ：出没具付き筆記具
【要約】
【課題】  出没具を出没させる際の動作性を向上する。
【解決手段】  筆記具本体１０の軸筒１１の一端側に、下方へ向けられた際に自重により前進して突出状態になり上方へ向けられた際には自重により後退して没入状態になる出没具２１を具備した出没具付き筆記具において、前端側に出没具２１を有するとともに筆記具本体１０に対し進退するように支持された進退部材２２と、筆記具本体１０に対し進退しないで自転するように支持された転動体２３とを備え、転動体２３の外周面を進退部材２２の側面に接触させるようにした。
【選択図】  図１【図１】
0006045651.tif 000002
【図２】
0006045651.tif 000003
【図３】
0006045651.tif 000004
【図４】
0006045651.tif 000005
【図５】
0006045651.tif 000006
【図６】
0006045651.tif 000007